(57)【特許請求の範囲】
【請求項１】
土砂と接触したときの摩擦係数が鋼材よりも大きいプレストレストコンクリートを用いて形成されており、堤防の基礎地盤の上側に形成された土堤防の内部に上側部分が配置されて、下側部分が前記基礎地盤に埋め込まれるＰＣ矢板が、前記堤防の延設方向に沿って二列に配置され、
前記ＰＣ矢板は、
側面部が、波形面、平面、および、垂直方向に延設された複数の溝部を有する面のいずれかに形成され、
前記側面部の両面または片面に、前記土堤防を形成する土砂と接触したときに前記土砂の滑り移動を抑える摩擦力が生じる大きさの粗目を形成させた粗面部が設けられている、
ことを特徴とするＰＣ矢板を用いた堤防補強構造。
【請求項２】
前記二列に配置されるＰＣ矢板の前記上側部分に接続されるタイ部材を備えた、
ことを特徴とする請求項１に記載のＰＣ矢板を用いた堤防補強構造。
【発明の詳細な説明】
【技術分野】
【０００１】
本開示は、河川や海岸などに建設される堤防の補強にＰＣ矢板を用いた堤防補強構造に関する。
【背景技術】
【０００２】
地盤に矢板を打設して堤防などの補強を行う場合、一般的なコンクリートによって形成された矢板を使用すると、例えば、経年によってひび割れが発生して強度が低下するため、鋼材によって形成された矢板を補強材として使用することが主流となっている。
矢板を用いて堤防を補強する場合には、例えば、基礎地盤に一列の矢板を打設し、堤防の内部に埋設する構造が用いられている（例えば、特許文献１参照）。
また、堤防を補強する構造として、堤防の延設方向に沿って矢板を二列に打設し、堤防の内部に埋設する構造があり、さらに、二列に並べた矢板の上端部の間を切梁（タイ部材等）で接続して、土砂などの移動に対する強度を増大させた構造がある（例えば、特許文献２参照）。
【先行技術文献】
【特許文献】
【０００３】
【特許文献１】特開２０２０−１６１０７号公報
【特許文献２】特開２０１９−２１０７７７号公報
【発明の概要】
【発明が解決しようとする課題】
【０００４】
堤防の補強に用いる矢板は、基礎地盤に打設され、地中に埋められることになる。
そのため、鋼材を用いて形成された矢板を堤防の補強に使用すると、例えば、雨水や浸透水などの地中の水分に触れることが避けられず、これらの水分によって腐食が生じる。
堤防等の構造体は、矢板の腐食が進行すると、腐食した部分、もしくはその周辺の強度が低下する。即ち、堤防等の耐力を長期間に渡って確保することが難しくなる。
【０００５】
また、上記の地中の水分は、周囲の地形や地質によって様々な量が存在し、時間経過に伴って変化する。そのため、地中に埋設した鋼材について、腐食の程度を予想することが困難になる。
即ち、鋼材によって形成された矢板を堤防等の補強に用いた場合には、堤防を設置した後、地中の構造物の点検や補修等が必要になる時期を予想することが難しく、安全性を重視すると、点検や補修が必要になるまでの期間を短く設定することになる。
また、地中に埋設された矢板を点検する、または補修することは容易に実施することができない。
【０００６】
また、鋼材は、表面を平滑に仕上げて錆が発生し易い微細な欠損部分がなくなるようにしている。
そのため、鋼材によって形成された矢板は、土砂と接触したときの摩擦が小さく、経年によって地形等が変化するとき、堤防等を形成する土砂と一体になって変形することが生じ難く、地形の経年変化に伴って堤防等の構造体に傷みが発生し易くなる。
【０００７】
本開示は、上記の問題点を解決するためになされたもので、地中の水分による腐食を防ぎ、洪水等に対する堤防の耐力を長期間維持することができるＰＣ矢板を用いた堤防補強構造を提供する。
【課題を解決するための手段】
【０００８】
本開示に係るＰＣ矢板を用いた堤防補強構造は、プレストレストコンクリートを用いて形成されており、上側部分が基礎地盤の上側に設けられた土堤防の内部に配置されて、下側部分が前記基礎地盤に埋め込まれるＰＣ矢板を備え、前記ＰＣ矢板が前記土堤防の延設方向に沿って一列に配置されていることを特徴とする。
【０００９】
また、本開示に係るＰＣ矢板を用いた堤防補強構造は、プレストレストコンクリートを用いて形成されており、上側部分が基礎地盤の上側に設けられた土堤防の内部に配置されて、下側部分が前記基礎地盤に埋め込まれるＰＣ矢板を備え、前記ＰＣ矢板が前記土堤防の延設方向に沿って二列に配置されていることを特徴とする。
【００１０】
また、前記二列に配置されるＰＣ矢板の各上側部分に接続されるタイ部材を備えたことを特徴とする。
【００１１】
また、前記二列に配置されるＰＣ矢板は、土砂と接触する側面部に、前記土砂と接触したときに摩擦力が生じる粗面部が設けられていることを特徴とする。
【発明の効果】
【００１２】
本開示によれば、水分等の多い地中に設置されても腐食を防ぐことができ、長期間に渡って洪水などに対する耐力を維持することができる。
【図面の簡単な説明】
【００１３】
【図１】本開示の実施の形態１によるＰＣ矢板を用いた堤防補強構造に使用する矢板の概観を示す斜視図である。
【図２】本開示の実施の形態１によるＰＣ矢板を用いた堤防補強構造の概略構成を示す説明図である。
【図３】本開示の実施の形態２によるＰＣ矢板を用いた堤防補強構造の概略構成を示す説明図である。
【図４】本開示の実施の形態３によるＰＣ矢板を用いた堤防補強構造の概略構成を示す説明図である。
【図５】本開示の実施の形態４によるＰＣ矢板を用いた堤防補強構造の概略構成を示す説明図である。
【発明を実施するための形態】
【００１４】
以下、この発明の実施の一形態を説明する。
（実施の形態１）
図１は、本開示の実施の形態１によるＰＣ矢板を用いた堤防補強構造に使用する矢板１の概観を示す斜視図である。
【００１５】
矢板１は、プレストレストコンクリート（以下、ＰＣと記載する）を用いて形成されたもので、上端部２または下端部３側から見たとき、例えば、図１（ａ）の矢板１のように波形に形成されている。換言すると、この矢板１は、側面部４に複数のウエブとフランジとを連ねて形成し、外力に対する耐力を向上させたものである。なお、ＰＣを用いた矢板１は、上記の形状に限定されず、十分な強度を有するものであればよく、例えば、図１（ｂ）の矢板１のように、側面部４を平面状に形成したものや、図１（ｃ）の矢板１のように、垂直方向に延設された複数の溝部を側面部４に形成したものでもよい。
矢板１は、ＰＣを用いて形成したことにより、一般的なコンクリートに比べて、ひび割れなどの発生が無く、もしくは、ひび割れなどの発生が非常に少なく、長期間に渡って一定の強度を保持することが可能である。また、水分に触れた場合には、鋼材のように容易に酸化腐食が発生せず、強度が低下することはない。
【００１６】
図２は、本開示の実施の形態１による堤防補強構造１０の概略構成を示す説明図である。
図２は、例えば、河川や海岸線に沿って設けられた（堤防補強構造１０を有する）堤防の、延設方向に直交する断面構造を表している。
図中、左側は河川等が存在する堤外地１００、右側は住宅地や農地などが存在する提内地１０１である。
【００１７】
図２の堤防補強構造１０は、図１の矢板１と同様にＰＣを用いて、また、矢板１と同様な形状に形成された矢板１１を備えている。
堤防補強構造１０は、基礎地盤１３の上側に、例えば、盛土によって形成された土堤防１２が設けられている。
堤防補強構造１０は、堤防の延設方向に沿って矢板１１が一列に配置され、矢板１１の下端部（図１に示した下端部３に相当する部分）が、基礎地盤１３に埋め込まれるように打設されている。
【００１８】
矢板１１は、図２に示されない側面部（図１の側面部４に相当する部分）が、堤防の延設方向に沿って配置され、土堤防１２の上側から垂直に基礎地盤１３まで到達するように打設されている。
矢板１１は、上端部（図１の上端部２に相当する部分）が、土堤防１２の内部に配置されている。即ち、矢板１１は、土堤防１２および基礎地盤１３の地中に全体が埋設されている。
なお、矢板１１の打設には、例えば、バイブロハンマーを用いた工法、ウォータージェット工法、バイブロハンマーとウォータージェットとを併用した工法などが用いられ、矢板１１を設置する位置の地盤条件などに適した工法を採用するとよい。
【００１９】
矢板１１は、前述のようにＰＣ、即ち、繊密な高強度コンクリートを用いて形成されており、プレストレス工法が施されている。そのため、ひび割れの発生が充分抑制され、また、酸化腐食などに高い耐性を有している。また、矢板１１は、無機性のコンクリート（ＰＣ）を用いることにより、環境負荷を低減することを可能にしたものである。また、鋼材に比べて、土砂と接触したときの摩擦係数が大きく、土砂の位置固定が良好である。
即ち、矢板１１は、堤防を補強するために地中に埋設された状態でも、ひび割れや腐食の発生を充分に抑制することができ、堤防等の構造体の耐力を、長期間に渡って維持することが可能である。
【００２０】
堤防補強構造１０は、前述のように、堤防の地中において、矢板１１が一列に配置されて基礎地盤１３に打設されている。即ち、矢板１１は、自立式矢板として堤防補強構造１０を構成している。
堤防補強構造１０は、矢板１１が基礎地盤１３に自立していることから、堤外地１００に存在する河川等に洪水が発生し、堤防を越流して提内地１０１へ流れ込み、土堤防１２等の土砂に崩壊が生じる状態になった場合でも、自立している矢板１１が、上記の越流に対して土堤防１２等の土砂を支えて破堤を防ぐことができる。
また、堤外地１００に存在する河川等に洪水が発生し、土堤防１２等の土砂を侵食しても、自立している矢板１１が侵食を防ぐことができる。
【００２１】
（実施の形態２）
図３は、本開示の実施の形態２による堤防補強構造２０の概略構成を示す説明図である。
図３は、例えば、河川や海岸線に沿って設けられた（堤防補強構造２０を有する）堤防の、延設方向に直交する断面を表している。
なお、図３は、図２に示したものと同等、あるいは相当する部分に同じ符号を使用している。
【００２２】
図３の堤防補強構造２０は、図１の矢板１等と同様にＰＣを用いて、また、矢板１等と同様な形状に形成された矢板２１および矢板２２を備えている。
堤防補強構造２０は、堤防の延設方向に沿って、矢板２１および矢板２２が二列に並べられて設置されている。
詳しくは、矢板２１および矢板２２は、矢板２１の側面部（図１の側面部４に相当する部分）と、矢板２２の側面部（図１の側面部４に相当する部分）とを対向させて二列に並べられている。
また、二列に並べられた矢板２１および矢板２２は、例えば、堤防の上端面（土堤防１２の上端部）の幅員より内側に間隔を開けて設置されている。
【００２３】
矢板２１および矢板２２は、各側面部が堤防の延設方向に沿うように配置され、土堤防１２の上側から垂直に基礎地盤１３まで到達するように打設されている。
詳しくは、矢板２１および矢板２２は、各下端部（図１の下端部３に相当する部分）が基礎地盤１３に埋め込まれるように打設されている。
また、矢板２１および矢板２２は、各上端部（図１の上端部２に相当する部分）が土堤防１２の内部に配置されている。即ち、矢板２１および矢板２２は、土堤防１２および基礎地盤１３の地中に全体が埋設されている。
なお、矢板２１および矢板２２の打設には、前述の矢板１１等と同様な工法を採用するとよい。
【００２４】
矢板２１および矢板２２は、前述のようにＰＣを用いて形成されており、矢板１１と同様に、堤防を補強するために地中に埋設された状態でも、ひび割れや腐食の発生を充分に抑制することができ、堤防等の構造体の耐力を、長期間に渡って維持することが可能である。また、矢板２１および矢板２２は、無機性のコンクリート（ＰＣ）を用いることにより、環境負荷を低減することを可能にしたものである。また、鋼材に比べて、土砂と接触したときの摩擦係数が大きく、土砂の位置固定が良好である。
【００２５】
堤防補強構造２０は、前述のように、堤防を設置した地中において、矢板２１および矢板２２が二列に並べられて基礎地盤１３に打設されている。即ち、矢板２１および矢板２２は、自立式二重矢板として堤防補強構造２０を構成している。
また、堤防補強構造２０は、二列に並べて配置された矢板２１と矢板２２との間に土砂が挟まれている。
矢板２１と矢板２２との間に挟まれた土砂は、水平方向の変形が矢板２１および矢板２２によって拘束される。即ち、矢板２１と矢板２２との間に挟まれた土砂は、矢板２１および矢板２２と一体の構造体になって挙動する。
そのため、堤外地１００に存在する河川等に洪水が発生し、堤防を越流して提内地１０１へ流れ込み、土堤防１２等の土砂に崩壊が生じる状態になった場合でも、矢板２１、矢板２２、および、矢板２１と矢板２２との間に挟まれた土砂によって構成された構造体は、崩壊することなく形状等を維持することができる。即ち、洪水発生時には、矢板２１、矢板２２、また、これらの間に挟まれた土砂等によって（上記の構造体によって）、上記の越流に対して土堤防１２等の土砂を支えて破堤を防ぐことができる。
また、堤外地１００に存在する河川等に洪水が発生し、土堤防１２等の土砂を侵食しても、自立している矢板２１が侵食を防ぐことができる。
【００２６】
（実施の形態３）
図４は、本開示の実施の形態３による堤防補強構造３０の概略構成を示す説明図である。
図４は、例えば、河川や海岸線に沿って設けられた（堤防補強構造３０を有する）堤防の、延設方向に直交する断面を表している。
なお、図４は、図２および図３に示したものと同等、あるいは相当する部分に同じ符号を使用している。
【００２７】
図４の堤防補強構造３０は、前述の矢板１等と同様にＰＣを用いて、また、矢板１１等と同様な形状に形成された矢板３１および矢板３２を備えている。矢板３１および矢板３２は、無機性のコンクリート（ＰＣ）を用いることにより、環境負荷を低減することを可能にしたものである。また、鋼材に比べて、土砂と接触したときの摩擦係数が大きく、土砂の位置固定が良好である。
堤防補強構造３０は、堤防の延設方向に沿って、矢板３１および矢板３２が二列に並べられて設置されている。
矢板３１および矢板３２は、前述の矢板２１および矢板２２と同様に、各々の側面部（図１の側面部４に相当する部分）を対向させて二列に並べられている。
また、二列に並べられた矢板３１および矢板３２は、例えば、堤防の上端面（土堤防１２の上端部）の幅員より内側に間隔を開けて設置されている。
【００２８】
矢板３１および矢板３２は、矢板３１および矢板３２の各側面部が堤防の延設方向と平行になるように配置されている。また、矢板３１および矢板３２は、土堤防１２の上側から垂直に基礎地盤１３まで到達するように打設されている。
詳しくは、矢板３１および矢板３２は、各下端部（図１の下端部３に相当する部分）が基礎地盤１３に埋め込まれるように打設されている。
また、矢板３１および矢板３２は、各上端部（図１の上端部２に相当する部分）が土堤防１２の内部に配置されている。即ち、矢板３１および矢板３２は、土堤防１２および基礎地盤１３の地中に全体が埋設されている。
なお、矢板３１および矢板３２の打設には、前述の矢板１１等と同様な工法を採用するとよい。
【００２９】
堤防補強構造３０は、タイ部材３３によって矢板３１の上端部と矢板部３２の上端部との間を接続している。即ち、矢板３１と矢板３２は、タイ部材３３によって上端部が接続固定されたタイ式二重矢板として堤防補強構造３０を構成している。
タイ部材３３は、伸び難い特性を有する材料によって形成され、水分による腐食などを防ぐ表面処理等が施されたもの、あるいは、上記の特性を有するとともに、水分に触れても腐食が発生しない（プレキャストコンクリートなどの）材料で形成されたものである。
タイ部材３３は、矢板３１および矢板３２の延設方向において、適当な間隔を開けて複数個所に設置されている。
タイ部材３３は、矢板３１の上端部および矢板３２の上端部に直接取り付け固定されている。なお、タイ部材３３は、プレキャストコンクリートの腹起し材等を用いて、上記の各上端部へ取り付け固定してもよい。
【００３０】
矢板３１および矢板３２は、前述のように下端部が基礎地盤１３に埋め込まれており、上端部がタイ部材３３によって接続されているため、矢板３１と矢板３２との間隔が上下方向の両端において一定に保持されている。
【００３１】
堤防補強構造３０は、二列に並べて配置された矢板３１と矢板３２との間に土砂が挟まれている。
矢板３１と矢板３２との間に挟まれた土砂は、水平方向の変形が矢板３１および矢板３２によって拘束される。即ち、上下両端の間隔が固定された矢板３１と矢板３２との間に挟まれた土砂は、矢板３１および矢板３２と一体化された構造体になって挙動する。
そのため、堤外地１００に存在する河川等に洪水が発生し、堤防を越流して提内地１０１へ流れ込み、土堤防１２等の土砂に崩壊が生じる状態になった場合でも、タイ部材３３によって接続された矢板３１および矢板３２、また、これらの間に挟まれた土砂によって構成された構造体は、崩壊することなく形状等を維持することができる。即ち、洪水発生時には、タイ部材３３によって接続された矢板３１および矢板３２、また、これらの間に挟まれた土砂等によって（上記の構造体によって）、上記の越流に対して土堤防１２等の土砂を支えて破堤を防ぐことができる。
また、堤外地１００に存在する河川等に洪水が発生し、土堤防１２等の土砂を侵食しても、自立している矢板３１が侵食を防ぐことができる。
【００３２】
（実施の形態４）
図５は、本開示の実施の形態４による堤防補強構造４０の概略構成を示す説明図である。
図５は、例えば、河川や海岸線に沿って設けられた（堤防補強構造４０を有する）堤防の、延設方向に直交する断面を表している。
なお、図５は、図２〜図４に示したものと同等、あるいは相当する部分に同じ符号を使用している。
【００３３】
図５の堤防補強構造４０は、前述の矢板１等と同様にＰＣを用いて、また、矢板１等と概ね同様な形状に形成された矢板４１および矢板４２を備えている。矢板４１および矢板４２は、無機性のコンクリート（ＰＣ）を用いることにより、環境負荷を低減することを可能にしたものである。また、鋼材に比べて、土砂と接触したときの摩擦係数が大きく、土砂の位置固定が良好である。
堤防補強構造４０は、堤防の延設方向に沿って、矢板４１および矢板４２が二列に並べられて設置されている。
矢板４１および矢板４２は、前述の矢板２１および矢板２２と同様に、各々の側面部（図１の側面部４に相当する部分）を対向させて二列に並べられている。
また、二列に並べられた矢板４１および矢板４２は、例えば、堤防の上端面（土堤防１２の上端部）の幅員より内側に間隔を開けて設置されている。
【００３４】
矢板４１および矢板４２は、矢板４１および矢板４２の各側面部が堤防の延設方向と平行になるように配置され、土堤防１２の上側から垂直に基礎地盤１３まで到達するように打設されている。
詳しくは、矢板４１および矢板４２は、各下端部（図１の下端部３に相当する部分）が基礎地盤１３に埋め込まれるように打設されている。
また、矢板４１および矢板４２は、各上端部（図１の上端部２に相当する部分）が土堤防１２の内部に配置されている。即ち、矢板４１および矢板４２は、土堤防１２および基礎地盤１３の地中に全体が埋設されている。
なお、矢板４１および矢板４２の打設には、前述の矢板１１等と同様な工法を採用するとよい。
【００３５】
矢板４１および矢板４２は、例えば、側面部の片面に、粗面部４３が設けられている。なお、図５に例示した矢板４１および矢板４２は、側面部の一方の片側面に粗面部４３が設けられている。また、他方の片側面に粗面部４４が設けられている。
図５の堤防補強構造４０は、粗面部４３が設けられた側面部が対向するように、矢板４１および矢板４２が配置固定されている。
粗面部４３は、例えば、土堤防１２等を形成する土砂が接触したとき、この土砂との間に摩擦力が生じるように、適度な大きさの粗目を形成させた部分である。
粗面部４３は、矢板４１および矢板４２が基礎地盤１３に打設されたとき、基礎地盤１３の上側に設けられた土堤防１２の土砂と接触する位置に設置されている。
粗面部４４は、粗面部４３と同様な粗目を形成させた部分であり、矢板４１および矢板４２が基礎地盤１３に打設されたとき、矢板４１の粗面部４４は、堤外地１００側の土堤防１２等を形成する土砂と接触し、矢板４２の粗面部４４は、堤内地１０１側の土堤防１２等を形成する土砂と接触するように設置されている。
【００３６】
堤防補強構造４０は、二列に並べて配置された矢板４１と矢板２２との間に土砂が挟まれている。
矢板４１と矢板４２との間に挟まれた土砂は、水平方向の変形が矢板４１および矢板４２によって拘束される。
即ち、矢板４１と矢板４２との間に挟まれた土砂は、矢板４１に設けられた粗面部４３、および、矢板４２に設けられた粗面部４３に接触しており、矢板４１の表面を滑り移動することが抑えられ（防止され）、同様に、矢板４２の表面を滑り移動することが抑えられる（防止される）。
矢板４１と矢板４２との間に挟まれた土砂は、上記のように矢板４１および矢板４２の表面を滑ることなく（滑り移動することが抑制されて）、一体化された構造体となって挙動する。
矢板４１および矢板４２に設けられた粗面部４４は、土堤防１２を形成する土砂と接触すると前述のように摩擦が生じ、土堤防１２の崩壊を抑制する働きがある。
【００３７】
そのため、堤外地１００に存在する河川等に洪水が発生し、堤防を越流して提内地１０１へ流れ込み、土堤防１２等の土砂に崩壊が生じる状態になった場合でも、矢板４１および矢板４２、また、これらの間に挟まれた土砂によって構成された構造体は、崩壊することなく形状等を維持することができる。即ち、洪水発生時には、矢板４１および矢板４２、また、これらの間に挟まれた土砂等によって（上記の構造体によって）、上記の越流に対して土堤防１２等の土砂を支えて破堤を防ぐことができる。
また、堤外地１００に存在する河川等に洪水が発生し、土堤防１２等の土砂を侵食しても、自立している矢板４１が侵食を防ぐことができる。
【００３８】
図５に例示した矢板４１および矢板４２は、図３の矢板２１および矢板２２と同様に、自立式二重矢板として堤防補強構造４０を構成させているが、図４に示した矢板３１および矢板３２と同様に、タイ部材３３等によって上端部を接続固定し、タイ式二重矢板として堤防補強構造４０を構成させてもよい。換言すると、図４の矢板３１および矢板３２に、粗面部４３を設けることも可能である。
また、図５に例示した矢板４１および矢板４２は、側面部の両側に粗面部４３、粗面部４４を設けているが、側面部の片側面にのみ粗面部４３または粗面部４４を設けた構成としてもよい。
【００３９】
ここで例示した矢板１１，２１，２２，３１，３２，４１，４２は、いずれもＰＣを用いて形成されたものである。
これらの矢板は、ＰＣを用いたことにより、鋼材によって形成された矢板に比べて部材が厚く、剛性が高い。そのため、水が堤防を越流したときに生じる変形が、鋼材を用いた場合に比べて小さく、洪水発生時に堤防が決壊することを強固に防ぐことができる。
また、上記の各矢板は、ＰＣを用いたことにより、地中の水分などに触れても腐食を生じることがないため、堤防の補強に鋼材を用いた場合に比べて、洪水などに対する耐力を長期間維持することができ、堤防の耐久性を高めることができる。即ち、メンテナンスフリーとなることから、長期的には堤防の維持等に関するコストを抑制することが可能になる。
【００４０】
また、堤防補強構造１０、堤防補強構造２０、堤防補強構造３０、堤防補強構造４０は、いずれもＰＣによって形成された矢板を打設することが主な施工となる。即ち、堤防補強構造１０〜４０を施工する際には、既存の堤防の（大掛かりな）改築や、河川を締め切る施工などが不要になり、施工コストを抑制することが可能になる。また、施工期間を渇水期に限らずに通年設定することが可能になる。
【符号の説明】
【００４１】
１，１１，２１，２２，３１，３２，４１，４２  矢板
２  上端部
３  下端部
４  側面部
１０  堤防補強構造
１２  土堤防
１３  基礎地盤
２０  堤防補強構造
３０  堤防補強構造
３３  タイ部材
４０  堤防補強構造
４３，４４  粗面部
１００  堤外地
１０１  堤内地
【要約】
【課題】地中の水分による腐食を防ぎ、洪水等に対する堤防の耐力を長期間維持することができるＰＣ矢板を用いた堤防補強構造を提供する。
【解決手段】プレストレストコンクリートを用いて形成されたＰＣ矢板１１を備えた堤防補強構造であって、ＰＣ矢板１１は、上側部分が基礎地盤１３の上側に設けられた土堤防１２の内部に配置されて、ＰＣ矢板１１の下側部分を基礎地盤１３に埋め込み固定されている。上記のように固定されて、土堤防１２および基礎地盤１３の地中に設けられたＰＣ矢板１１が、土堤防１２の延設方向に沿って配置されていることを特徴とする。
【選択図】図２【図１】
0006884912.tif 000002
【図２】
0006884912.tif 000003
【図３】
0006884912.tif 000004
【図４】
0006884912.tif 000005
【図５】
0006884912.tif 000006